(57)【要約】【課題】ニット素材等の柔らかい素材で形成された衣服であっても、衣服の立体的形状を自在に変化させた状態で保持可能とする、保形性を有する衣服の構造を提案する。【解決手段】衣服の身頃１１、脚又は袖１２において、これらを形成する筒の裏側に該筒の形状に沿って環状に袋を形成し、該袋に曲げたり波立たせたり変形自在であってその変形形状を保持可能なワイヤ２０を挿通した。前記ワイヤ２０は、該ワイヤ２０の端部を折り返し、該折り返し部分に樹脂製の筒状部材を被せることによって端部処理した。【選択図】図１１
2006124908.tif 000002
【特許請求の範囲】
【請求項１】
衣服の身頃、脚又は袖において、これらを形成する筒の裏側に該筒の形状に沿って環状に袋を形成し、該袋に曲げたり波立たせたり変形自在であってその変形形状を保持可能なワイヤを挿通したことを特徴とする、保形性を有する衣服。
【請求項２】
前記ワイヤは、該ワイヤの端部を折り返し、該折り返し部分に樹脂製の筒状部材を被せることによって端部処理したものであることを特徴とする、請求項１に記載の保形性を有する衣服。
【発明の詳細な説明】
【技術分野】
【０００１】
本発明は、衣服を立体的に整形し、その状態を保持するための衣服の構造に関する。
【背景技術】
【０００２】
婦人用下着には、下着の形状を安定させるためや、身体形状の補整のために、形状記憶材料で構成されたワイヤを、下着に組み込んだものがある。
また、婦人用下着に限定されず、衣服の形状を保持するために、衣服や装飾具等にも形状を安定させたり保持したりするための構造が備えるものが知られている。
【０００３】
例えば、特許文献１に記載の技術では、首周り全体から後頭部を紫外線から保護するために、衣服の襟部を、耳全体から後頭部にわたって覆うことのできる形状のものとし、襟部を立てた状態に保持するために、芯材として形状記憶合金製ワイヤや金属製ワイヤを組み込ませている。
また、特許文献２に記載の技術では、形状記憶合金製ワイヤ又は金属製ワイヤを保形部材として、襟巻きの内部に取り付け、襟巻きの立体的形状を自在に変化させ、その形状を保持可能として意匠的価値を高めることができるようにしている。
【特許文献１】特開２０００−３１４０２３号公報
【特許文献２】登録実用新案第３０８９１２３号公報
【発明の開示】
【発明が解決しようとする課題】
【０００４】
特にニット素材等、比較的柔らかな素材から成る衣服では、衣服の立体的形状を自在に変化させ、素材独自の風合いを保持したまま、その形状を保持させることが困難である。例えば、ニット素材等の柔らかい素材で形成された衣服では、襟を立たせたり、袖を捲ったりすることはできても、素材の性質上、その形状を保持することが困難である。
そこで、本発明では、ニット素材等の柔らかい素材で形成された衣服であっても、衣服の立体的形状を自在に変化させた状態で保持可能とする、保形性を有する衣服の構造を提案する。
【課題を解決するための手段】
【０００５】
本発明の解決しようとする課題は以上の如くであり、次にこの課題を解決するための手段を説明する。
【０００６】
即ち、請求項１においては、衣服の身頃、脚又は袖において、これらを形成する筒の裏側に該筒の形状に沿って環状に袋を形成し、該袋に曲げたり波立たせたり変形自在であってその変形形状を保持可能なワイヤを挿通した保形成を有する衣服である。
【０００７】
請求項２においては、前記ワイヤは、該ワイヤの端部を折り返し、該折り返し部分に樹脂製の筒状部材を被せることによって端部処理したものである。
【発明の効果】
【０００８】
本発明の効果として、以下に示すような効果を奏する。
【０００９】
請求項１においては、柔らかく形崩れし易い布地で構成されていても、衣服の身頃、脚又は袖の裾を捲った状態に整形し、それを保持することができる。
【００１０】
請求項２においては、衣服を構成する服地に組み込まれるワイヤの端部が、布を突き破って、飛び出すことを防止できる。
【発明を実施するための最良の形態】
【００１１】
次に、発明の実施の形態を説明する。
図１は本発明の一実施例に係る衣服としての襟付きシャツを示す図、図２は襟付きシャツに取り付けられたワイヤの配置を示す図、図３は本発明の一実施例に係る衣服としてのＴシャツを示す図、図４はＴシャツに取り付けられたワイヤの配置を示す図である。
図５はボーダー柄部分の構成を示す図である。
図６はワイヤを示す図、図７はワイヤを衣服に取り付ける形態の一例を示す図、図８は衣服にワイヤを取り付けた状態を示す図である。
図９はワイヤを取り付けた襟部分の様子を示す図、図１０はワイヤを取り付けたポケット部分の様子を示す図、図１１はワイヤを取り付けた袖部分の様子を示す図である。
図１２は本発明の一実施例に係る衣服としてのパンツを示す図である。
【００１２】
本発明の保形性を有する衣服では、ニット地のように柔らかく、立体形状を保持することが困難な布地で構成されていても、その布地の風合いを損ねることなく、衣服を整形し、その形状を保持させることができる。
図１では、本発明に係る保形性を有する衣服の一例として、ニット地のシャツ１０を示している。シャツ１０は襟付きシャツであり、該シャツ１０の身頃１１には袖１２が縫合されており、また、身頃１１には襟１３とポケット１５とポケットフラップ１５ａとが縫合されている。なお、図３に示す如く、ニット地で襟のないＴシャツ４０も、保形性を有する衣服とすることができる。
【００１３】
但し、保形性を有する衣服は、シャツに限定されることなく、パンツやジャケット等とすることができる。また、マフラーやスカーフ、鞄等の、服飾雑貨に本発明の保形性を有する衣服の構造を応用させて、保形性を有する服飾雑貨とすることもできる。
また、衣服を構成する布地の素材も、ニット地に限定されるものではなく、その他の素材とすることもできる。
【００１４】
なお、図１や図３に示す如く、シャツ１０・４０はボーダー柄（縞柄）のニット地で構成されている。
図５に示す如く、ボーダー柄は、布地を織る糸の色を変化させて形成されるのではなく、主布１７と副布１６との、少なくとも複数の種類（柄・色）の布地を縫合させることにより、立体的に形成されている。
主布１７の裏側であって、主布１７と主布１７との間に、ボーダー柄の幅よりやや大きい幅を有する副布１６が縫いつけられている。主布１７・１７の端部１７ａ・１７ａは、纏られることなく、切り放しとされ、また、衣服の表側に露出している。主布１７の端部１７ａはニット地の特性上、表側へ巻き上がって、ボーダー柄の上下の切替部分に立体的なラインが形成される。
【００１５】
シャツ１０には、保形性を備えるために、すなわち、衣服の立体的形状を自在に変化させ、その形状を保持させるために、適宜位置に、変形自在且つ形状保持可能なワイヤ２０・２０・・・が取り付けられている。
例えば、図２や図４に示す如く、襟付きシャツ１０では、襟１３と、襟口（襟の開き部分）１４、袖１２の下部、身頃１１の下部、ポケット１５の縁、ポケットフラップ１５ａの縁に、ワイヤ２０・２０・・・が取り付けられ、Ｔシャツ４０では、袖１２の下部、身頃１１の下部に、ワイヤ２０・２０・・・が取り付けられている。
【００１６】
前記ワイヤ２０は、金属製ワイヤ、樹脂製ワイヤ、セラミック製ワイヤ等を用いることができる。本実施例では、セラミック製ワイヤを採用している。セラミック製ワイヤは、金属製ワイヤと比較して錆びることなく、洗濯にも耐えることができ、また、自在に屈曲可能であるとともに、繰り返し変形しても脆性変化が小さいという利点がある。
図６に示す如く、ワイヤ２０の両端２０ａ・２０ａは折り返され、折り返された部分は樹脂製チューブ２１・２１に挿嵌され、熱溶着される。これにより、衣服を構成する服地に組み込まれるワイヤ２０の端部が、布を突き破って、飛び出すことのないようにしている。
【００１７】
前記ワイヤ２０は、衣服の表側に露出しないように、裏側に取り付けられる。
例えば、図７に示す如く、衣服の表側を構成する主布１７の裏側に、別布１９を縫合して袋を形成し、該袋の内部にワイヤ２０を挿通させることにより、衣服にワイヤ２０を取り付けることができる。
本実施例では、図８に示す如く、布地のボーダー柄の副布１６の裏側に別布１９をあてて、副布１６と別布１９との間に袋を形成し、ここにワイヤ２０を挿通させることにより、衣服にワイヤ２０を取り付けている。
【００１８】
なお、ワイヤ２０は、衣服の布地に対して固着されたり布地に織り込まれたりするのではなく、多少の許容範囲を持って移動できるように衣服に取り付けられる。これは、衣服がニット地等の伸縮する布地で成るからであり、ニット地の伸縮によってワイヤ２０が組み込まれた部分に不自然な引きつりや皺が生じないようにするためである。
但し、ワイヤ２０の取り付け形態は、上記例に限定されるものではなく、布地にワイヤ２０を多少の許容範囲をもって移動できるように部分的に留め付けたり、主布１７の端部の折り返し部分にワイヤ２０を挿通させたり、することができる。
【００１９】
シャツ１０の襟１３の近傍においては、図９（ａ）に示す如く、襟１３の周縁と、襟口１４の周縁とに、ワイヤ２０が取り付けられる。これにより、図９（ｂ）に示す如く、襟１３を立てた状態で保持させることができる。また、襟１３の一部を曲げたり、襟口１４を波立たせたり、シャツを立体的に整形し、その状態を保持することができる。
【００２０】
シャツ１０のポケット１５部分では、図１０（ａ）に示す如く、ポケット１５の開口の周縁と、ポケットフラップ１５ａの周縁とに、ワイヤ２０が取り付けられる。これにより、図１０（ｂ）に示す如く、ポケット１５を身頃１１から浮き立たせて立体的に整形し、また、ポケットフラップ１５ａを上方へ反り上がった状態に立体的に整形し、これらの立体的に整形された状態を状態を保持することができる。
【００２１】
シャツ１０の袖１２部分では、図１１（ａ）に示す如く、袖１２の下部に袖裄方向にわたって複数のワイヤ２０が取り付けられる。ワイヤ２０は袖筒の形状に沿って環状に取り付けられる。但し、袖裄方向に沿って複数本を設けることができるが、衣服を着た状態での活動を阻害しないようにするためには、袖筒の形状に沿って環状に取り付けることが好ましい。これにより、図１１（ｂ）に示す如く、袖１２を捲った状態に立体的に整形し、その状態を保持することができる。
【００２２】
なお、保形性を有する衣服としてのパンツ２５では、図１２（ａ）に示す如く、パンツ２５の裾に複数の環状のワイヤ２０が取り付けられる。これにより、ニット地のように柔らかい布地で構成されたパンツ２５であっても、図１２（ｂ）に示す如く、裾を捲った状態に立体的に整形し、その状態を保持することができる。
【００２３】
上述のように、衣服にワイヤ２０を取り付けることで、ニット地のような柔らかく形崩れし易い布地で構成されていても、衣服を立体的に整形し、その状態を保持させることができる。しかも、糊付けのように布地の表面に処理を施さないので、布地の持つ風合いを損ねることがない。
さらに、時間が経過しても、ワイヤ２０の持つ保形性は経時変化しないので、衣服の整形された立体的な形態は保持される。また、一旦、衣服の形が崩れたとしても、ワイヤ２０であるので、特殊な機器や用具、薬剤等を必要とすることなく、容易に再度整形して良好な状態を形成することができる。
【図面の簡単な説明】
【００２４】
【図１】本発明の一実施例に係る衣服としての襟付きシャツを示す図。
【図２】襟付きシャツに取り付けられたワイヤの配置を示す図。
【図３】本発明の一実施例に係る衣服としてのＴシャツを示す図。
【図４】Ｔシャツに取り付けられたワイヤの配置を示す図。
【図５】ボーダー柄部分の構成を示す図。
【図６】ワイヤを示す図。
【図７】ワイヤを衣服に取り付ける形態の一例を示す図。
【図８】衣服にワイヤを取り付けた状態を示す図。
【図９】ワイヤを取り付けた襟部分の様子を示す図。
【図１０】ワイヤを取り付けたポケット部分の様子を示す図。
【図１１】ワイヤを取り付けた袖部分の様子を示す図。
【図１２】本発明の一実施例に係る衣服としてのパンツを示す図。
【符号の説明】
【００２５】
１０  シャツ
１１  身頃
１２  袖
１３  襟
１４  襟口
１５  ポケット
２０  ワイヤ
２１  チューブ
【図１】
2006124908.tif 000003
【図２】
2006124908.tif 000004
【図３】
2006124908.tif 000005
【図４】
2006124908.tif 000006
【図５】
2006124908.tif 000007
【図６】
2006124908.tif 000008
【図７】
2006124908.tif 000009
【図８】
2006124908.tif 000010
【図９】
2006124908.tif 000011
【図１０】
2006124908.tif 000012
【図１１】
2006124908.tif 000013
【図１２】
2006124908.tif 000014